(57)【要約】【課題】書込み動作を安定かつ高速に行うことができ、しかも高精細化が可能で発光効率のよいプラズマディスプレイパネルを提供する。【解決手段】背面基板３１上にプライミング電極３６を備え、隔壁３４は主放電セル４０の放電空間を走査電極２２の透明部分および維持電極２３の透明部分ならびにそれらのつくる放電ギャップ部分とに対応する空間に制限するように設けた。また、２本の維持電極２３が隣り合う側に生じる隙間部４１ｂの間隔を、２本の走査電極２２が隣り合う側に生じる隙間部４１のプライミング放電セル４１ａの間隔より狭くした。【選択図】図１
2005135596.tif 000002
【特許請求の範囲】
【請求項１】
第１の基板と、
前記第１の基板上にあって、２本ずつ交互にかつ平行に配置した走査電極および維持電極と、
放電空間を挟んで前記第１の基板に対向配置される第２の基板と、
前記第２の基板上にあって、前記走査電極と交差する方向に配置したデータ電極と、
前記第２の基板上にあって、前記走査電極および前記維持電極のうち一組の走査電極・維持電極対からなる表示電極対と前記データ電極とが対向して構成される主放電セルを区画するとともに前記主放電セルが前記表示電極対に沿って複数連結した主放電セル行を形成しかつ隣接する前記主放電セル行の間に隙間部を生じるように設けた隔壁と、
前記第２の基板上にあって、前記隙間部のうち２本の走査電極が隣り合う側に生じる隙間部に前記走査電極と平行に配置しかつ前記データ電極と電気的に絶縁されたプライミング電極とを備え、
前記走査電極および前記維持電極のそれぞれは、可視光を透過する透明部分と可視光を透過しない不透明部分とを有し、
前記隔壁は、前記主放電セルの前記放電空間を前記走査電極の前記透明部分および前記維持電極の前記透明部分ならびにそれらのつくる放電ギャップ部分とに対応する空間に制限するように設けたプラズマディスプレイパネル。
【請求項２】
２本の維持電極が隣り合う側に生じる隙間部の間隔を、２本の走査電極が隣り合う側に生じる隙間部の間隔より狭くしたプラズマディスプレイパネル。
【発明の詳細な説明】
【技術分野】
【０００１】
本発明は、壁掛けテレビや大型モニター等に用いられるプラズマディスプレイパネルに関する。
【背景技術】
【０００２】
プラズマディスプレイパネル（以下、ＰＤＰあるいはパネルと略記する）は、大画面、薄型、軽量であることを特徴とする視認性に優れた表示デバイスである。ＰＤＰとして代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００４】
初期化期間では、すべての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるというはたらきをもつ。書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。続く維持期間では、走査電極と維持電極との間に所定の回数の維持パルスを印加し、書込み放電による壁電荷形成を行った放電セルを選択的に放電させ発光させる。
【０００５】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【０００６】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足し放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００７】
これらの問題を解決するために、パネルの前面板に補助放電電極を設けて形成した補助放電セルを用いてプライミングを発生させ、放電遅れを小さくするパネルとその駆動方法が提案されている（たとえば特許文献１）。
【特許文献１】特開２００２−２９７０９１号公報
【発明の開示】
【発明が解決しようとする課題】
【０００８】
しかしながら上述のパネルにおいては、個々の補助放電セルが比較的大きいため、画像表示のための主放電セル間の距離を縮めることができず、その結果、高精細化が困難であるという課題があった。
【０００９】
本発明は、上述した課題に鑑みなされたものであり、書込み動作を安定かつ高速に行うことができ、高精細化も可能なプラズマディスプレイパネルを提供することを目的とする。
【課題を解決するための手段】
【００１０】
上述した課題を解決するために、本発明のプラズマディスプレイパネルは、第１の基板と、第１の基板上にあって、２本ずつ交互にかつ平行に配置した走査電極および維持電極と、放電空間を挟んで第１の基板に対向配置される第２の基板と、第２の基板上にあって、走査電極と交差する方向に配置したデータ電極と、第２の基板上にあって、走査電極および維持電極のうち一組の走査電極・維持電極対からなる表示電極対とデータ電極とが対向して構成される主放電セルを区画するとともに主放電セルが表示電極対に沿って複数連結した主放電セル行を形成しかつ隣接する主放電セル行の間に隙間部を生じるように設けた隔壁と、第２の基板上にあって、隙間部のうち２本の走査電極が隣り合う側に生じる隙間部に走査電極と平行に配置しかつデータ電極と電気的に絶縁されたプライミング電極とを備え、走査電極および維持電極のそれぞれは可視光を透過する透明部分と可視光を透過しない不透明部分とを有し、隔壁は主放電セルの放電空間を走査電極の透明部分および維持電極の透明部分ならびにそれらのつくる放電ギャップ部分とに対応する空間に制限するように設けたことを特徴とする。この構成により、書込み動作を安定かつ高速に行うことができ、しかも高精細化が可能で発光効率のよいプラズマディスプレイパネルを提供することができる。
【００１１】
また、２本の維持電極が隣り合う側に生じる隙間部の間隔を、２本の走査電極が隣り合う側に生じる隙間部の間隔より狭くした構成であってもよい。この構成によれば、さらに主放電セル間の距離を縮めることができる。
【発明の効果】
【００１２】
本発明によれば、書込み動作を安定かつ高速に行うことができ、しかも高精細化が可能で発光効率のよいプラズマディスプレイパネルを提供することができる。
【発明を実施するための最良の形態】
【００１３】
以下、本発明の実施の形態におけるプラズマディスプレイパネルについて、図面を用いて説明する。
【００１４】
（実施の形態）
図１は本発明の実施の形態におけるプラズマディスプレイパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００１５】
前面基板２１上には、走査電極２２と維持電極２３とからなる表示電極対が互いに平行に複数対形成されている。このとき、走査電極２２、維持電極２３は、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されており、金属母線２２ｂ、２３ｂは可視光を透過しない不透明部分であり、透明電極２２ａ、２３ａのうち金属母線２２ｂ、２３ｂが形成されていない部分は可視光を透過する透明部分である。走査電極２２−走査電極２２間、および維持電極２３−維持電極２３間には黒色材料からなる光吸収層２８が設けられている。走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００１６】
背面基板３１上には、走査電極２２および維持電極２３と交差する方向にデータ電極３２が互いに平行に複数形成され、そしてデータ電極３２を覆うように誘電体層３３ａが形成されている。誘電体層３３ａの上には、走査電極２２と平行にプライミング電極３６が複数形成されている。誘電体層３３ａはデータ電極３２とプライミング電極３６との間を絶縁している。そして、プライミング電極３６を覆うように誘電体層３３ｂが形成され、さらにその上に主放電セル４０を区画するための隔壁３４が形成されている。
【００１７】
隔壁３４は、データ電極３２と平行な方向に延びる縦壁部３４ａと、主放電セル４０を形成しかつ主放電セル４０の間に隙間部４１を形成する横壁部３４ｂとで構成されている。その結果、隔壁３４は一対の走査電極２２と維持電極２３とからなる表示電極対に沿って主放電セル４０を複数連結した主放電セル行を形成し、隣接した主放電セル行の間に隙間部４１を生じる。隙間部４１のうち、２本の走査電極２２が隣り合う側に位置する隙間部４１にプライミング電極３６が形成されており、この隙間部４１はプライミング放電セル４１ａとしてはたらく。すなわち隙間部４１は１つおきにプライミング電極３６を有するプライミング放電セル４１ａとなっている。
【００１８】
そして、隔壁３４により区画された主放電セル４０に対応する誘電体層３３ｂの表面と隔壁３４の側面とに蛍光体層３５が設けられている。なお、図１では隙間部４１側に蛍光体層３５を形成していないが、蛍光体層３５を形成する構成としてもよい。
【００１９】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６との間でプライミング放電を行うように位置合わせする。
【００２０】
なお、上述の説明ではプライミング電極３６を覆うように誘電体層３３ｂが形成されているが、この誘電体層３３ｂは形成しなくてもよい。
【００２１】
次に、隔壁３４の詳細について説明する。図３は本発明の実施の形態におけるパネルの隙間部の寸法を示すための断面図である。ただし、図面を見やすくするために誘電体層、蛍光体層等は省略している。隙間部４１ｂ側における隣接する２つの維持電極２３間の隙間（以下、放電セル間ギャップと略記する）Ｇｂは、隣接する主放電セル４０が相互干渉をしないように設けている。隙間部４１ｂの幅Ｓｂは画像表示上は必ずしも必要でないが、パネル内の排気コンダクタンスを高めパネル製造時における排気工程を短縮するために設けている。
【００２２】
図３において、横壁部３４ｂは金属母線２３ｂの下に位置し、走査電極２２の透明部分および維持電極２３の透明部分ならびに走査電極２２および維持電極２３の隙間（以下、放電ギャップと略記する）とに対応する空間に主放電セル４０の放電空間を制限している。この構成により、パネルの発光効率を向上させている。発光効率が向上する理由は以下の通りである。金属母線２３ｂの下に横壁部３４ｂが存在しない場合について考えると、金属母線２３ｂの下にまで主放電セル４０の放電空間が広がり、その放電空間においても電力が供給され放電が発生する。そしてこのとき発生した紫外線が蛍光体層によって可視光に変換されるが、金属母線２３ｂが可視光を透過しないため、金属母線２３ｂの下で変換された可視光をパネル外部へ効率よく取り出すことができない。すなわち、金属母線２３ｂの幅Ｘｗに対応する電力を余分に投入しても輝度はほとんど変わらない。逆にいえば、金属母線２３ｂの下の放電を抑えて電力を削減しても輝度は変わらないので、結果的に発光効率が向上することになる。したがって、金属母線２３ｂの下に横壁部３４ｂを設けて放電空間を走査電極２２および維持電極２３の透明部分の下の領域に制限することにより電力の無駄を無くし発光効率を高めることができる。
【００２３】
以上の理由から、可視光を透過しない領域の幅Ｂｂ（放電セル間ギャップＧｂと２つの金属母線２３ｂの幅Ｘｗとの和）と、主放電セル４０の放電空間を制限する領域の幅Ｃｂ（隙間部４１ｂの幅Ｓｂと２つの横壁部３４ｂの幅Ｒｗとの和）とをほぼ等しく設計することが望ましい。なぜなら、幅Ｃｂが幅Ｂｂよりも小さすぎると無駄な電力が増え発光効率が悪くなり、逆に幅Ｃｂが幅Ｂｂよりも大きすぎると輝度そのものが低下して望ましくないからである。
【００２４】
また、こうして形成された隙間部４１ｂは気体の通路となるので、パネル製造時の排気工程においてパネル内部の排気路としてはたらき、製造工程の時間を短縮する上でも有効である。
【００２５】
プライミング放電セル４１ａについても上述した隙間部４１ｂと同様に、幅Ｃａが幅Ｂａよりも小さすぎると無駄な電力が増え発光効率が悪くなり、逆に幅Ｃａが幅Ｂａよりも大きすぎると輝度そのものが低下して望ましくないので、幅Ｂａと幅Ｃａとをほぼ等しく設計することが望ましい。しかしながら、プライミング放電セル４１ａは前面基板２１側にプライミング放電のための突出部分２２ｂ’を設ける必要があるため、可視光を透過しない領域の幅Ｂａは隣接する２つの走査電極間の隙間（以下、放電セル間ギャップと略記する）Ｇａと２つの金属母線２２ｂの幅Ｘｗとの和にさらに突出部分２２ｂ’の幅Ｙｗを加えたものとなる。
【００２６】
本発明の実施の形態におけるパネルでは、放電セル間ギャップＧａとＧｂとをほぼ等しくしているので、プライミング放電セル４１ａを設けたことにより実質的に増加する非発光領域（画像表示に寄与しない領域）はわずかに突出部分２２ｂ’の幅Ｙｗのみに抑えることができる。
【００２７】
本実施の形態におけるパネルの設計値の一例を示すと、プライミング放電セル４１ａ側の放電セル間ギャップＧａおよび隙間部４１ｂ側の放電セル間ギャップＧｂがともに２００μｍであり、これは本設計例においては隣り合う主放電セル４０が相互干渉しないために必要な値である。また、金属母線２２ｂ、２３ｂの幅が１００μｍ、横壁部３４ｂの幅が１００μｍ、突出部分２２ｂ’の幅も１００μｍである。したがって、プライミング放電セル４１ａを設けたことにより実質的に増加する非発光領域の幅は、主放電セル行２行あたりわずか１００μｍであり、補助放電セルとしてのプライミング放電セル４１ａを追加しても輝度を大きく低下させることなく主放電セル４０間の距離を縮めることができるので容易に高精細化に対応できる。なお上述の数値は一例であり、これに限定されるものではない。たとえば、主放電セル４０が相互干渉しないために必要な最小の値は横壁部３４ｂと前面基板２１との隙間を小さくすることにより２００μｍ以下に設定することができる。
【００２８】
このように、パネルを高精細化するためには、プライミング放電セル４１ａ側の放電セル間ギャップＧａおよび隙間部４１ｂ側の放電セル間ギャップＧｂを小さくし、金属母線２２ｂ、２３ｂ、突出部分２２ｂ’の幅、および横壁部３４ｂの幅も小さくすることが望ましい。このとき、放電セル間ギャップＧａと放電セル間ギャップＧｂとがほぼ等しくなる場合は、プライミング電極を有しない隙間部４１ｂ、すなわち２本の維持電極２３が隣り合う側に位置する隙間部４１ｂの隙間の間隔はプライミング放電セル４１ａの隙間の間隔より小さくなる。なおこの構成によると表示電極対の間隔が広い−狭い−広い・・と交互に繰り返すことになるが、その差は突出部分２２ｂ’の幅の程度であるので視覚的には大きな問題とはならない。
【００２９】
図４は本発明の実施の形態におけるプラズマディスプレイパネルの電極配列図である。列方向にｍ列のデータ電極Ｄ1〜Ｄm（図１のデータ電極３２）が配列され、行方向にｎ行の走査電極ＳＣ1〜ＳＣn（図１の走査電極２２）とｎ行の維持電極ＳＵ1〜ＳＵn（図１の維持電極２３）とが維持電極ＳＵ1−走査電極ＳＣ1−走査電極ＳＣ2−維持電極ＳＵ2−・・・となるように２本ずつ交互に配列されている。そして、実施の形態においては奇数行目の走査電極ＳＣ1、ＳＣ3、・・・の突出部分（図１の突出部分２２ｂ’）との間でプライミング放電を行うようにｎ／２本のプライミング電極ＰＲ1、ＰＲ3、・・・（図１のプライミング電極３６）が配列されている。
【００３０】
そして、一対の走査電極ＳＣi、維持電極ＳＵi（ｉ＝１〜ｎ）と１つのデータ電極Ｄj（ｊ＝１〜ｍ）とを含む主放電セルＣi,j（図１の主放電セル４０）が放電空間内にｍ×ｎ個形成される。また１〜ｎ行のうちの奇数行に走査電極ＳＣiの突出部分とプライミング電極ＰＲiとを含むプライミング放電セルＰＳi（図１のプライミング放電セル４１ａ）が形成される。
【００３１】
次に、パネルを駆動するための駆動波形とそのタイミングについて説明する。
【００３２】
図５は、本発明の実施の形態におけるプラズマディスプレイパネルの駆動波形図である。なお、実施の形態においては、１フィールド期間が初期化期間、書込み期間、維持期間を有する複数のサブフィールドから構成されており、それぞれのサブフィールドは維持期間における維持パルスの数が異なる以外はほぼ同様であるので、１つのサブフィールドについてのみ動作を説明する。
【００３３】
初期化期間前半部では、データ電Ｄ1〜Ｄm、維持電極ＳＵ1〜ＳＵnおよびプライミング電極ＰＲ1〜ＰＲn-1をそれぞれ０（Ｖ）に保持し、走査電極ＳＣ1〜ＳＣnには、維持電極ＳＵ1〜ＳＵnに対して放電開始電圧以下の電圧Ｖｉ1から、放電開始電圧を超える電圧Ｖｉ2に向かって緩やかに上昇する傾斜波形電圧を印加する。この傾斜波形電圧が上昇する間に、走査電極ＳＣ1〜ＳＣnと維持電極ＳＵ1〜ＳＵn、データ電極Ｄ1〜Ｄm、プライミング電極ＰＲ1〜ＰＲn-1との間でそれぞれ一回目の微弱な初期化放電が起こる。そして、走査電極ＳＣ1〜ＳＣn上部に負の壁電圧が蓄積されるとともに、データ電極Ｄ1〜Ｄm上部、維持電極ＳＵ1〜ＳＵn上部およびプライミング電極ＰＲ1〜ＰＲn-1上部には正の壁電圧が蓄積される。ここで、電極上部の壁電圧とは電極を覆う誘電体層上に蓄積された壁電荷により生じる電圧をあらわす。
【００３４】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖｉ3から放電開始電圧を超える電圧Ｖｉ4に向かって緩やかに下降する傾斜波形電圧を印加する。この間に、走査電極ＳＣ1〜ＳＣnと維持電極ＳＵ1〜ＳＵn、データ電極Ｄ1〜Ｄm、プライミング電極ＰＲ1〜ＰＲn-1との間でそれぞれ二回目の微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整され、プライミング電極ＰＲ1〜ＰＲn-1上部の正の壁電圧もプライミング動作に適した値に調整される。以上により初期化動作が終了する。
【００３５】
書込み期間では、走査電極ＳＣ1〜ＳＣnを一旦電圧Ｖｃに保持する。そして、プライミング電極ＰＲ1〜ＰＲn-1に電圧Ｖｑを印加する。
【００３６】
まず、奇数行目の放電セルＣp,1〜Ｃp,m（ｐ＝奇数）の書込み動作では、走査電極ＳＣpに走査パルス電圧Ｖａを印加するとともに、表示すべき画像信号に対応するデータ電極Ｄk（ｋは１〜ｍの整数）に正の書込みパルスＶｄを印加する。奇数行目の走査電極ＳＣpは自己の走査に伴ってプライミング放電を発生させるとともに書込みを行う走査電極である。したがって、走査パルス電圧Ｖａの印加によりプライミング電極ＰＲpと走査電極ＳＣpとの間でプライミング放電が発生し、放電セルＣp,1〜Ｃp,mと放電セルＣp+1,1〜Ｃp+1,mとの内部にプライミングが供給される。このときの放電は、プライミング放電セルが放電しやすく電圧Ｖｑも高く設定できるため、放電遅れが小さく速い安定したプライミング放電となる。
【００３７】
その後引き続いて、書込みパルス電圧を印加したデータ電極Ｄkに対応する放電セルＣp,kで書込み放電が発生する。このとき放電セルＣp,kの放電は、走査電極ＳＣpとプライミング電極ＰＲpとの間で発生したプライミング放電からプライミングが供給されつつ発生するので、放電遅れが小さく安定した放電となる。この書込み放電により放電セルＣp,kの走査電極ＳＣp上部に正電圧が蓄積され、維持電極ＳＵp上部に負電圧が蓄積されて、奇数行目の書込み動作が終了する。
【００３８】
次に、偶数行目の放電セルＣp+1,1〜Ｃp+1,mの書込み動作では、ｐ＋１行目の走査電極ＳＣp+1に走査パルス電圧Ｖａを印加すると同時に、データ電極Ｄ1〜Ｄmのうちｐ＋１行目に表示すべき画像信号に対応するデータ電極Ｄkに正の書込みパルス電圧Ｖｄを印加する。これにより、データ電極Ｄkと走査電極ＳＣp+1との交差部で放電が発生する。このとき、放電セルＣp+1,kでは走査電極ＳＣpとプライミング電極ＰＲpとの間で発生したプライミング放電から十分なプライミングがすでに供給された状態で放電が発生するので、書込み放電の放電遅れは非常に小さく安定した放電となる。この書込み放電により放電セルＣp+1,kの走査電極ＳＣp+1上部に正電圧が蓄積され、維持電極ＳＵp+1上部に負電圧が蓄積されて、偶数行目の書込み動作が終了する。
【００３９】
以下、同様の書込み動作をｎ行目の放電セルＣn,kに至るまで行い、書込み動作が終了する。
【００４０】
維持期間では、走査電極ＳＣ1〜ＳＣnおよび維持電極ＳＵ1〜ＳＵnを０（Ｖ）に一旦戻した後、走査電極ＳＣ1〜ＳＣnに正の維持パルス電圧Ｖｓを印加する。このとき、書込み放電を起こした放電セルＣi,kにおける走査電極ＳＣi上部と維持電極ＳＵi上部との間の電圧は、正の維持パルス電圧Ｖｓに加えて、書込み期間において走査電極ＳＣi上部および維持電極ＳＵi上部に蓄積された壁電圧が加算されて、放電開始電圧より大きくなる。これにより、放電セルＣi,kにおいて維持放電が発生する。以降同様に、走査電極ＳＣ1〜ＳＣnと維持電極ＳＵ1〜ＳＵnとに維持パルスを交互に印加することにより、書込み放電を起こした放電セルＣi,kに対して維持パルスの回数だけ維持放電が継続して行われる。
【００４１】
このように、実施の形態では、奇数行目の放電セルＣp,1〜Ｃp,m（ｐ＝奇数）の書込み動作において、背面基板３１側に設けたプライミング電極ＰＲpと前面基板２１側に設けた走査電極ＳＣpとの間でプライミング放電を発生させ、放電セルＣp,1〜Ｃp,mと放電セルＣp+1,1〜Ｃp+1,mとの内部にプライミングを供給することで、放電遅れが小さく、高速かつ安定した書込み放電を実現することができる。
【００４２】
なお、パネル製造工程において、前面基板２１と背面基板３１とを対向配置して封着する際、前面基板２１と背面基板３１とが位置ずれを発生しそのまま封着されることがある。このとき横壁部３４ｂが走査電極２２あるいは維持電極２３の透明部分（透明電極２２ａ、２３ａのうち金属母線２２ｂ、２３ｂが形成されていない部分）にはみ出る方向にずれが発生した場合、発光に寄与する放電空間が狭くなり、ずれ発生領域の輝度低下を引き起こし輝度ムラを発生することがある。したがって、封着時にずれが発生しても輝度ムラが発生しないように、ずれに対するマージンをもった設計にしておくことが望ましい。図６は本発明のプラズマディスプレイパネルの他の実施の形態を示す断面図であり、図６（ａ）は、発光効率をやや犠牲にしてマージンδｘを確保したパネル、図６（ｂ）は、輝度をやや犠牲にしてマージンδｘを確保したパネルである。図６（ａ）に示したパネルは、幅Ｃａが幅Ｂａよりもわずかに小さく、幅Ｃｂが幅Ｂｂよりもわずかに小さい。そのため、金属母線２２ｂ、２３ｂの下の領域にもわずかに放電空間が広がっており発光効率はやや低下するが、封着時に±δｘの位置ずれを発生しても横壁部３４ｂが電極の透明部分にはみ出ることはないので、輝度低下を引き起こすことはない。また、図６（ｂ）に示したパネルは、幅Ｃａが幅Ｂａよりもわずかに大きく、幅Ｃｂが幅Ｂｂよりもわずかに大きい。そのため、横壁部３４ｂが電極の透明部分にもわずかにはみ出しており発光輝度はやや低下するが、封着時に±δｘの位置ずれを発生して横壁部３４ｂの一方が電極の透明部分にはみ出る量が増えてももう一方の横壁部３４ｂのはみ出る量が減るので、輝度変化を発生することはない。このように図６（ａ）あるいは図６（ｂ）に示したパネルではパネル封着工程において前面基板２１と背面基板３１とが位置ずれを発生しても輝度ムラを発生することのないパネルを実現することができる。
【産業上の利用可能性】
【００４３】
本発明に係るプラズマディスプレイパネルは、書込み動作を安定かつ高速に行うことができ、しかも高精細化が可能なプラズマディスプレイパネルを提供することができるので、壁掛けテレビや大型モニター等に用いられるプラズマディスプレイパネル等に有用である。
【図面の簡単な説明】
【００４４】
【図１】本発明の実施の形態におけるプラズマディスプレイパネルの構造を示す分解斜視図
【図２】同パネルの断面図
【図３】同パネルの隙間部の寸法を示すための断面図
【図４】同パネルの電極配列図
【図５】同パネルの駆動波形図
【図６】本発明の他の実施の形態におけるプラズマディスプレイパネルの断面図
【符号の説明】
【００４５】
２１    前面基板
２２    走査電極
２２ａ，２３ａ    透明電極
２２ｂ，２３ｂ    金属母線
２２ｂ’    突出部分
２３    維持電極
２４    誘電体層
２５    保護層
２８    光吸収層
３１    背面基板
３２    データ電極
３３ａ，３３ｂ    誘電体層
３４    隔壁
３４ａ    縦壁部
３４ｂ    横壁部
３５    蛍光体層
３６    プライミング電極
４０    主放電セル
４１    隙間部
４１ａ    プライミング放電セル
４１ｂ    隙間部
【図１】
2005135596.tif 000003
【図２】
2005135596.tif 000004
【図３】
2005135596.tif 000005
【図４】
2005135596.tif 000006
【図５】
2005135596.tif 000007
【図６】
2005135596.tif 000008